(57)【要約】【課題】用紙に応じたサイズに積載トレイを延長することができる画像形成装置を提供する。【解決手段】画像形成装置１は、画像形成した用紙を排出する用紙排出部３８と、用紙排出部３８から排出された用紙が積載される積載トレイ５０と、積載トレイ５０を覆う本体庇部６０と、積載トレイ５０に積載された用紙が取り出される開口部４ｂと、開口部４ｂを開閉する開閉カバー７０と、排出方向Ｘに積載トレイ５０を延長する延長トレイ７１とを備えている。延長トレイ７１は、開閉カバー７０の開放動作に連動して、積載トレイ５０に対して排出方向Ｘの下流側に位置する延長位置に移動する。【選択図】図４
2014080279.tif 000002
【特許請求の範囲】
【請求項１】
画像形成した用紙を排出する用紙排出部と、前記用紙排出部から排出された用紙が積載される積載トレイと、前記積載トレイの上方に設けられ前記積載トレイを覆う本体庇部と、前記積載トレイに積載された用紙が取り出される開口部とを備える画像形成装置であって、
前記開口部を開閉する開閉カバーと、
用紙が排出される排出方向に前記積載トレイを延長する延長トレイとを備え、
前記延長トレイは、前記開閉カバーの開放動作に連動して、前記積載トレイに対して前記排出方向の下流側に位置する延長位置に移動すること
を特徴とする画像形成装置。
【請求項２】
請求項１に記載の画像形成装置であって、
前記積載トレイは、前記延長トレイが収納される収納部を備え、
前記延長トレイは、前記開閉カバーの遮蔽動作に連動して、前記収納部の収納位置に移動すること
を特徴とする画像形成装置。
【請求項３】
請求項１または請求項２に記載の画像形成装置であって、
前記延長トレイは、前記延長位置に位置している状態で、前記排出方向で前記積載トレイ側の端部が該積載トレイより下方に設けられていること
を特徴とする画像形成装置。
【請求項４】
請求項１から請求項３までのいずれか１つに記載の画像形成装置であって、
前記開閉カバーは、開放された状態で、前記延長トレイより前記排出方向の下流側へ延伸されたカバー延伸部を備えていること
を特徴とする画像形成装置。
【請求項５】
請求項１から請求項４までのいずれか１つに記載の画像形成装置であって、
前記延長トレイは、前記延長位置に位置している際、前記排出方向に沿って立設され、
前記積載トレイは、前記排出方向で前記用紙排出部と反対側の端部に下方へ広がった用紙取出部が設けられ、
前記用紙取出部は、前記延長トレイより前記積載トレイに積載される用紙の幅方向の幅が大きいこと
を特徴とする画像形成装置。
【発明の詳細な説明】
【技術分野】
【０００１】
本発明は、画像形成した用紙を排出する用紙排出部と、用紙排出部から排出された用紙が積載される積載トレイと、積載トレイを覆う本体庇部と、積載トレイに積載された用紙が取り出される開口部とを備える画像形成装置に関する。
【背景技術】
【０００２】
近年、コピー機などの画像形成装置には、様々な機能が求められており、ファックスやスキャナなどを兼ね備えた複合機が広く利用されている。ところで、画像形成装置では、画像形成する画像記録部と画像を読み取る画像読取部との間に排紙トレイを設けた胴内排紙方式が考案されている。胴内排紙方式を採用することで、画像読取部に面していない画像記録部の側面に排紙トレイを設けた構造よりも、画像形成装置の小型化を図ることができる。
【０００３】
現在、画像形成装置には、製品のデザインを意識して、用紙の排出口を開閉および遮蔽する開閉カバーを設け、開いた状態の開閉カバーの上に用紙を排出することで、開閉カバーを排出トレイとして活用するものが提案されている（例えば、特許文献１参照。）。
【先行技術文献】
【特許文献】
【０００４】
【特許文献１】特開２００７−１６１３６９号公報
【発明の概要】
【発明が解決しようとする課題】
【０００５】
特許文献１に記載の記録装置では、開閉可能な排紙トレイに設けた永久磁石と、装置本体に設けたソレノイドとを備え、排紙トレイを閉じたとき、永久磁石とソレノイドとが接触するように配置されている。排紙トレイは、閉まった状態において、他の外装部に合わさるように構成されている。しかしながら、上述した構成では、排紙トレイは、外装部に合わせてサイズを設計されているため、サイズの大きい用紙に対応させるには、記録装置を大型化する必要があり、容易に小型化することができないという課題があった。
【０００６】
本発明は、上記の課題を解決するためになされたものであり、用紙に応じたサイズに積載トレイを延長することができる画像形成装置を提供することを目的とする。
【課題を解決するための手段】
【０００７】
本発明に係る画像形成装置は、画像形成した用紙を排出する用紙排出部と、前記用紙排出部から排出された用紙が積載される積載トレイと、前記積載トレイの上方に設けられ前記積載トレイを覆う本体庇部と、前記積載トレイに積載された用紙が取り出される開口部とを備える画像形成装置であって、前記開口部を開閉する開閉カバーと、用紙が排出される排出方向に前記積載トレイを延長する延長トレイとを備え、前記延長トレイは、前記開閉カバーの開放動作に連動して、前記積載トレイに対して前記排出方向の下流側に位置する延長位置に移動することを特徴とする。
【０００８】
本発明に係る画像形成装置では、前記積載トレイは、前記延長トレイが収納される収納部を備え、前記延長トレイは、前記開閉カバーの遮蔽動作に連動して、前記収納部の収納位置に移動する構成としてもよい。
【０００９】
本発明に係る画像形成装置では、前記延長トレイは、前記開閉カバーと一体に形成された構成としてもよい。
【００１０】
本発明に係る画像形成装置では、前記開閉カバーは、前記積載トレイに積載される用紙の幅方向に平行な回転軸を介して、下端部が前記開口部に連結され、回動動作によって開閉されることを特徴とする。
【００１１】
本発明に係る画像形成装置では、前記延長トレイは、前記延長位置に位置している状態で、前記排出方向の下流側に向かうに従って上方へ傾斜した構成としてもよい。
【００１２】
本発明に係る画像形成装置では、前記延長トレイは、前記延長位置に位置している状態で、前記排出方向で前記積載トレイ側の端部が該積載トレイより下方に設けられた構成としてもよい。
【００１３】
本発明に係る画像形成装置では、前記開閉カバーは、開放された状態で、前記延長トレイより前記排出方向の下流側へ延伸されたカバー延伸部を備えた構成としてもよい。
【００１４】
本発明に係る画像形成装置では、前記延長トレイは、前記延長位置に位置している際、前記排出方向に沿って立設され、前記積載トレイは、前記排出方向で前記用紙排出部と反対側の端部に下方へ広がった用紙取出部が設けられ、前記用紙取出部は、前記延長トレイより前記積載トレイに積載される用紙の幅方向の幅が大きい構成としてもよい。
【発明の効果】
【００１５】
本発明によると、開閉カバーに連動して延長トレイを延長位置に配置させることで、常にサイズの大きい用紙を積載することができる。つまり、画像形成装置を小型化することで積載トレイのサイズが小さくなっても、用紙を積載する際には、延長トレイによって用紙に応じたサイズに積載トレイを延長することができる。
【図面の簡単な説明】
【００１６】
【図１】本発明の実施の形態に係る画像形成装置の概略側面図である。
【図２】本発明の実施の形態に係る画像形成装置の外観斜視図である。
【図３】本発明の実施の形態に係る画像形成装置の側面図である。
【図４】図２の矢符Ａ−Ａでの積載トレイ近傍を拡大して示す拡大断面図である。
【図５】画像形成装置の開閉カバーを閉じた状態を示す外観斜視図である。
【図６】画像形成装置の開閉カバーを閉じた状態を示す側面図である。
【図７】図５の矢符Ｂ−Ｂでの積載トレイ近傍を拡大して示す拡大断面図である。
【図８】用紙が積載された状態の積載トレイ近傍を示す拡大断面図である。
【発明を実施するための形態】
【００１７】
以下、本発明の実施の形態に係る画像形成装置について、図面を参照して説明する。
【００１８】
図１は、本発明の実施の形態に係る画像形成装置の概略側面図である。
【００１９】
画像形成装置１は、原稿を読み取って用紙に画像形成する複写機能を有しており、画像読取装置２、画像読取装置２の上側に設けられた原稿搬送装置（ＡＤＦ）３、画像読取装置２の下側に設けられた画像形成部４、給紙カセット５、および積載トレイ５０を備えている。なお、積載トレイ５０については、後述する図２および図４を参照して詳細を説明する。
【００２０】
原稿搬送装置３は、奥一辺のヒンジ（支点、図示しない）によって画像読取装置２に対して開閉自在に支持されており、手前側端部が上下されることによって開閉される。原稿搬送装置３が開かれると、画像読取装置２の上方が開放され、原稿を手置きで置くことができるようになっている。また、原稿搬送装置３は、載置された原稿を画像読取装置２の上に自動で搬送する。
【００２１】
画像読取装置２は、奥一辺のヒンジ（支点）４２によって画像形成部４に対して開閉自在に支持されており、手前側端部が上下されることによって開閉される。画像読取装置２を開くことで、画像形成装置１に内蔵された部品等のメンテナンスを行うことができる。画像読取装置２は、載置された原稿または原稿搬送装置３から搬送された原稿を読み取って画像データを生成する。
【００２２】
画像形成装置１では、ブラック（Ｋ）、シアン（Ｃ）、マゼンタ（Ｍ）、イエロー（Ｙ）の各色を用いたカラー画像、または単色（例えば、ブラック）を用いたモノクロ画像に応じた画像データが扱われる。画像形成部４には、４種類のトナー像を形成するための現像装置１２、感光体ドラム１３、ドラムクリーニング装置１４、および帯電器１５が４つずつ設けられ、それぞれがブラック、シアン、マゼンタ、およびイエローに対応付けられ、４つの画像ステーションＰａ、Ｐｂ、Ｐｃ、Ｐｄが構成されている。
【００２３】
ドラムクリーニング装置１４は、感光体ドラム１３の表面の残留トナーを除去および回収する。帯電器１５は、感光体ドラム１３の表面を所定の電位に均一に帯電させる。光走査装置１１は、感光体ドラム１３の表面を露光して静電潜像を形成する。現像装置１２は、感光体ドラム１３の表面の静電潜像を現像して、感光体ドラム１３の表面にトナー像を形成する。上述した一連の動作によって、各感光体ドラム１３の表面に各色のトナー像が形成される。
【００２４】
感光体ドラム１３の上側には、中間転写ベルト２１が配置されている。中間転写ベルト２１は、矢印Ｃの方向へ周回移動し、ベルトクリーニング装置２５によって残留トナーを除去および回収され、各感光体ドラム１３の表面に形成された各色のトナー像が順次転写して重ね合わされて、中間転写ベルト２１の表面にカラーのトナー像が形成される。
【００２５】
２次転写装置２６の転写ローラ２６ａは、中間転写ベルト２１との間にニップ域が形成されており、用紙搬送経路Ｒ１を通じて搬送されて来た用紙をニップ域に挟み込んで搬送する。用紙は、ニップ域を通過する際に、中間転写ベルト２１の表面のトナー像が転写されて定着装置１７に搬送される。
【００２６】
定着装置１７は、用紙を挟んで回転する定着ローラ３１および加圧ローラ３２を備えている。定着装置１７は、定着ローラ３１および加圧ローラ３２の間にトナー像が転写された記録用紙を挟み込んで加熱および加圧し、トナー像を記録用紙に定着させる。
【００２７】
給紙カセット５は、画像形成に使用する用紙を蓄積しておくためのトレイであり、光走査装置１１の下側に設けられている。用紙は、ピックアップローラ３３によって給紙カセット５から引き出されて、用紙搬送経路Ｒ１を通じて搬送され、２次転写装置２６や定着装置１７を経由し、用紙排出部３８に設けられた排紙ローラ３６を介して積載トレイ５０へと搬出される。用紙搬送経路Ｒ１には、用紙を一旦停止させて、用紙の先端を揃えた後、中間転写ベルト２１と転写ローラ２６ａとの間のニップ域でのカラーのトナー像の転写タイミングに合わせて用紙の搬送を開始するレジストローラ３４、用紙の搬送を促す搬送ローラ３５、および排紙ローラ３６が配置されている。
【００２８】
また、用紙の表面だけでなく、裏面に画像形成を行う場合は、用紙を排紙ローラ３６から反転経路Ｒｒへと逆方向に搬送して、用紙の表裏を反転させ、用紙をレジストローラ３４へと再度導き、表面と同様にして裏面に画像形成を行い、用紙を積載トレイ５０へと搬出する。
【００２９】
図２は、本発明の実施の形態に係る画像形成装置の外観斜視図であって、図３は、本発明の実施の形態に係る画像形成装置の側面図であって、図４は、図２の矢符Ａ−Ａでの積載トレイ近傍を拡大して示す拡大断面図である。
【００３０】
本発明の実施の形態に係る画像形成装置１は、用紙排出部３８から排出された用紙Ｐ（後述する図８参照）が積載される積載トレイ５０と、積載トレイ５０の上方に設けられ積載トレイ５０を覆う本体庇部６０（画像読取装置２の筐体）と、積載トレイ５０に積載された用紙Ｐが取り出される開口部４ｂと、開口部４ｂを開閉する開閉カバー７０とを備えている。用紙排出部３８は、積載トレイ５０より上方に設けられ、画像形成部４に形成された開口である。排紙ローラ３６は、例えば、用紙排出部３８に面して設けられたローラ対である。
【００３１】
以下では、説明の簡略化のため、積載トレイ５０に対して、用紙Ｐが積載される方向を積載方向Ｚと呼ぶ。つまり、積載方向Ｚで用紙排出部３８を基準として、本体庇部６０の側が上方に相当し、積載トレイ５０の側が下方に相当する。また、排出方向Ｘにおいて、用紙排出部３８の側を上流と呼び、後述する取出側トレイ端部５０ａの側を下流と呼ぶ。
【００３２】
図２および図３に示すように、画像形成部４の筐体の上面は、積載トレイ５０を設けた部分が周囲より低く形成されている。つまり、画像形成部４の筐体には、積載トレイ５０に積載される用紙Ｐの幅に沿った幅方向Ｙにおいて対向する側壁４ａが設けられ、積載トレイ５０は、この側壁４ａ間に挟まれて配置されている。
【００３３】
積載トレイ５０は、用紙排出部３８（図４では、右方）に沿うように設けられたトレイ基部５０ｃと、トレイ基部５０ｃから用紙排出部３８の反対側の端部（図４では、左方）に向かって延伸されたトレイ延伸部５０ｂと、トレイ延伸部５０ｂからさらに延伸された取出側トレイ端部５０ａとを備えている。トレイ基部５０ｃは、取出側トレイ端部５０ａ側に向かうに従って、上方へ傾斜しており、トレイ延伸部５０ｂは、用紙Ｐの排出方向Ｘに平行な平面とされている。また、取出側トレイ端部５０ａは、画像形成部４の筐体の一側面に連続するように設けられている。本実施の形態において、開口部４ｂは、画像形成部４の側面のうち、側壁４ａおよび取出側トレイ端部５０ａ（積載トレイ５０）に囲まれた領域に相当する。
【００３４】
このような構成において、積載トレイ５０は、取出側トレイ端部５０ａの幅方向Ｙの中央部に上方側へ突出した突出リブ５１が２つ設けられている。２つの突出リブ５１は、図２および図３に示すように、幅方向Ｙに一定の距離を保って配置されている。それぞれの突出リブ５１の幅方向Ｙの両側には、下方側に階段状に広がった用紙取出部５２が設けられている。
【００３５】
突出リブ５１は、トレイ延伸部５０ｂから下流に向かって延伸されている。つまり、突出リブ５１の上流側の端部は、トレイ延伸部５０ｂと同じ高さであって、取出側トレイ端部５０ａ（下流）に向かうに従って、徐々にトレイ延伸部５０ｂより高くなるように設けられている。つまり、突出リブ５１の上面は、下流に向かうに従って上方へ傾斜している。用紙取出部５２は、積載トレイ５０より下方に設けられた段差である。つまり、取出側トレイ端部５０ａは、略全体が積載トレイ５０より低く形成された用紙取出部５２とされており、部分的に設けられた突出リブ５１が積載トレイ５０より上方へ突出している。
【００３６】
一方、本体庇部６０の下面６０ｂは、排出方向Ｘに平行な平面部６０ｄと、上方へ傾斜した庇傾斜部６０ｃとで構成されている。具体的には、庇傾斜部６０ｃは、用紙Ｐの排出方向Ｘで用紙排出部３８と反対側に位置する取出側本体端部６０ａに設けられ、平面部６０ｄから取出側本体端部６０ａに向かうに従って上方へ傾斜している。突出リブ５１および庇傾斜部６０ｃがそれぞれ上方へ傾斜した構造において、積載トレイ５０（特に、突出リブ５１および用紙取出部５２）と庇傾斜部６０ｃとの間隔は、排出方向Ｘで取出側本体端部６０ａに向かうに従って広がった構造とされている。
【００３７】
庇傾斜部６０ｃの排出方向Ｘにおける用紙排出部３８側の端部は、突出リブ５１の排出方向Ｘにおける用紙排出部３８側の端部より、用紙排出部３８に近い位置に設定されている。
【００３８】
本実施の形態では、本体庇部６０は、上述した画像読取装置２の筐体に相当するが、これに限定されず、積載トレイ５０への埃等の堆積を防止するカバーなどであってもよい。また、本体庇部６０の表面には、画像形成装置１への指示を入力するためのキーやディスプレイなどが設けられている。
【００３９】
開閉カバー７０は、幅方向Ｙに平行な回転軸７０ａを介して、下端部が開口部４ｂの下端部に連結されており、回動動作によって開閉される。開閉カバー７０は、図２ないし図４に示す状態から、回転軸７０ａを中心に回動させることで、開口部４ｂを遮蔽する。図５ないし図７は、開閉カバー７０を閉じた状態について示しており、図５は、画像形成装置の開閉カバーを閉じた状態を示す外観斜視図であって、図６は、画像形成装置の開閉カバーを閉じた状態を示す側面図であって、図７は、図５の矢符Ｂ−Ｂでの積載トレイ近傍を拡大して示す拡大断面図である。
【００４０】
開閉カバー７０は、図６に示すように、開口部４ｂに応じた平板形状とされている。開放された状態の開閉カバー７０（詳しくは、図４参照）は、取出側トレイ端部５０ａ（開口部４ｂ）から排出方向Ｘの下流側へ略水平状態で開いている。すなわち、用紙取出部５２の開口部４ｂ側の端部と同じ高さとされている。また、回転軸７０ａには、図示しない駆動部が接続されており、画像形成部４によって用紙Ｐに画像形成するのに応じて、開閉カバー７０は開放され、用紙Ｐが回収された後、適宜閉じられる。なお、駆動部を設けない場合、開閉カバー７０はユーザによって開閉される。このとき、開閉カバー７０を開放または遮蔽した状態で停止させるためのストッパなどを設けてもよい。
【００４１】
開閉カバー７０は、排出方向Ｘに積載トレイ５０を延長する２つの延長トレイ７１が一体に形成されている。具体的には、延長トレイ７１は、排出方向Ｘに沿って開閉カバー７０の裏面側に立設されている。また、２つの延長トレイ７１は、開閉カバー７０の幅方向Ｙの中央部において、幅方向Ｙに一定の距離を保って配置されている。ここで、開閉カバー７０を開いた状態の延長トレイ７１は、図４に示すように、排出方向Ｘにおいて突出リブ５１から連続するように近接して配置され、かつ、図３に示すように、幅方向Ｙにおいて突出リブ５１の外側に近接して平行に配置されている。従って、開閉カバー７０を閉めたとき、延長トレイ７１は、突出リブ５１と衝突することなく、突出リブ５１の側面（外側面）に沿って回動し、最終的には、図７に示すように、突出リブ５１の側面に延長トレイ７１の側面を合わせるようにして、用紙取出部５２の所定の収納位置に収納される。ここで、用紙取出部５２は、延長トレイ７１より幅方向Ｙの幅が大きくなるように形成されている。
【００４２】
なお、延長トレイ７１は、幅方向Ｙにおいて突出リブ５１にできるだけ近い位置に配置されていることが望ましい。つまり、突出リブ５１と延長トレイ７１とを近づけて配置することで、用紙Ｐが幅方向Ｙにおいて支持される位置のズレが小さくなるため、確実に用紙Ｐを支持することができる。また、本実施の形態では、延長トレイ７１は、排出方向Ｘにおいて突出リブ５１との間に隙間があるが、排出方向Ｘの上流側に延伸させて隙間が生じない形状としてもよい。従って、排出方向Ｘの隙間を無くすことで、用紙Ｐの先端が隙間に入り込むことで生じる積載不良を防ぐことができる。
【００４３】
また、延長トレイ７１の上面には、排出方向Ｘの略中央部から突出リブ５１側（上流側）に向かって下方に傾斜する延長傾斜部７１ａが形成されている。すなわち、延長傾斜部７１ａは、排出方向Ｘの下流側に向かうに従って上方へ傾斜している。つまり、延長トレイ７１の上面は、排出方向Ｘの下流側に向かうに従って、上方へ傾斜した形状とされている。また、延長傾斜部７１ａは、積載トレイ５０側の端部が突出リブ５１より低くなるように形成されている。
【００４４】
また、延長トレイ７１は、排出方向Ｘにおいて開閉カバー７０より短く形成されている。逆に言えば、開閉カバー７０は、延長トレイ７１より排出方向Ｘの下流側に延伸されたカバー延伸部７０ｂを備えている。
【００４５】
上述したように、開閉カバー７０を開いた状態では、延長トレイ７１は、積載トレイ５０に対して排出方向Ｘの下流側に位置する延長位置に配置されている。つまり、延長トレイ７１は、開閉カバー７０を開閉させる動作に連動して、積載トレイ５０を延長した延長位置と用紙取出部５２（収納部）に収納された収納位置との間を移動する構成とされている。
【００４６】
図８は、用紙が積載された状態の積載トレイ近傍を示す拡大断面図である。
【００４７】
図に示すように、用紙Ｐは、トレイ基部５０ｃおよびトレイ延伸部５０ｂに沿って積載され、トレイ延伸部５０ｂより下流の取出側トレイ端部５０ａでは、幅方向Ｙの中央部が突出リブ５１によって支持され、幅方向Ｙの両端部は用紙取出部５２から離間した状態で上方に位置する。そして、突出リブ５１より下流の延長トレイ７１では、用紙Ｐは、幅方向Ｙの中央部が延長トレイ７１に支持され、幅方向Ｙの両端部は開閉カバー７０から離間した状態で上方に位置する。ユーザは、取出側トレイ端部５０ａが設けられた側面から用紙Ｐの下方に手を挿入することで、積載トレイ５０に積載された用紙Ｐを摘んで取り出すことができる。なお、大きいサイズの用紙Ｐを積載する際には、延長トレイ７１より下流に突出した用紙Ｐの先端は、カバー延伸部７０ｂによって受け止められる。
【００４８】
なお、本実施の形態では、延長トレイ７１は、用紙取出部５２に収納される構造としたが、これに限定されず、延長トレイ７１が収納される凹部などが積載トレイ５０に形成された構造としてもよい。
【００４９】
また、開閉カバー７０と延長トレイ７１とがそれぞれ分離された構造としてもよい。例えば、延長トレイ７１は、排出方向Ｘにスライド移動する構成とされ、バネなどで下流に付勢されており、開閉カバー７０によって受け止められる。開閉カバー７０を開くことで、延長トレイ７１は、下流に移動して積載トレイ５０を延長する。
【００５０】
さらに、本発明では、延長トレイ７１および突出リブ５１の数および形状について適宜選択することができる。つまり、図２および図３では、幅方向Ｙで幅の狭い延長トレイ７１および突出リブ５１をそれぞれ２つ備える構成とされていたが、これに限定されず、例えば、幅方向Ｙで幅の広い突出リブ５１を１つ備える構成としてもよい。また、幅方向Ｙで幅の広い１つの延長トレイ７１が、２つの突出リブ５１の間に設けられた用紙取出部５２に収納される構成としてもよい。
【００５１】
本発明の実施の形態に係る画像形成装置は、画像形成した用紙を排出する用紙排出部と、前記用紙排出部から排出された用紙が積載される積載トレイと、前記積載トレイの上方に設けられ前記積載トレイを覆う本体庇部と、前記積載トレイに積載された用紙が取り出される開口部とを備える画像形成装置であって、前記開口部を開閉する開閉カバーと、用紙が排出される排出方向に前記積載トレイを延長する延長トレイとを備え、前記延長トレイは、前記開閉カバーの開放動作に連動して、前記積載トレイに対して前記排出方向の下流側に位置する延長位置に移動することを特徴とする。この構成によると、開閉カバーに連動して延長トレイを延長位置に配置させることで、常にサイズの大きい用紙を積載することができる。つまり、画像形成装置を小型化することで積載トレイのサイズが小さくなっても、用紙を積載する際には、延長トレイによって用紙に応じたサイズに積載トレイを延長することができる。
【００５２】
また、画像形成装置では、前記積載トレイは、前記延長トレイが収納される収納部を備え、前記延長トレイは、前記開閉カバーの遮蔽動作に連動して、前記収納部の収納位置に移動する構成としている。この構成によると、用紙を積載しないときには、開閉カバーを閉じて延長トレイを収納部に収納することで、画像形成装置の省スペース化を図ることができる。
【００５３】
また、画像形成装置では、前記延長トレイは、前記開閉カバーと一体に形成された構成としている。この構成によると、延長トレイを開閉カバーと一体に形成することで、延長トレイと開閉カバーとを容易に連動させることができ、簡易な構造とすることができる。
【００５４】
また、画像形成装置では、前記開閉カバーは、前記積載トレイに積載される用紙の幅方向に平行な回転軸を介して、下端部が前記開口部に連結され、回動動作によって開閉される構成としている。この構成によると、回動動作によって開閉される構造とすることで、単純な動作で確実に積載トレイを延長することができる。
【００５５】
また、画像形成装置では、前記延長トレイは、前記延長位置に位置している状態で、前記排出方向の下流側に向かうに従って上方へ傾斜した構成としている。この構成によると、延長トレイを傾斜させることで、用紙が滑り落ちるのを防ぎ、用紙を確実に積載することができる。
【００５６】
また、画像形成装置では、前記延長トレイは、前記延長位置に位置している状態で、前記排出方向で前記積載トレイ側の端部が該積載トレイより下方に設けられた構成としている。この構成によると、延長トレイを積載トレイより下方に設けることで、排出される用紙の先端が延長トレイに塞き止められない構造とすることができ、円滑に用紙を積載することができる。
【００５７】
また、画像形成装置では、前記開閉カバーは、開放された状態で、前記延長トレイより前記排出方向の下流側へ延伸されたカバー延伸部を備えた構成としている。この構成によると、カバー延伸部によって延長トレイから飛び出た用紙の先端を受け止めることで、用紙が積載トレイから落ちるのを防ぐことができる。
【００５８】
また、画像形成装置では、前記延長トレイは、前記延長位置に位置している際、前記排出方向に沿って立設され、前記積載トレイは、前記排出方向で前記用紙排出部と反対側の端部に下方へ広がった用紙取出部が設けられ、前記用紙取出部は、前記延長トレイより前記積載トレイに積載される用紙の幅方向の幅が大きい構成としている。この構成によると、簡易な構造で用紙を支持する延長トレイとすることができる。また、幅の広い用紙取出部を設けることで、ユーザが用紙を回収する際に、用紙の下に手を差し込む空間を確保することができ、ユーザの作業効率を向上させることができる。
【００５９】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００６０】
１  画像形成装置
４ｂ  開口部
３８  用紙排出部
５０  積載トレイ
５０ａ  取出側トレイ端部
５０ｂ  トレイ延伸部
５０ｃ  トレイ基部
５１  突出リブ
５２  用紙取出部（収納部の一例）
６０  本体庇部
６０ａ  取出側本体端部
６０ｂ  下面
６０ｃ  庇傾斜部
６０ｄ  平面部
７０  開閉カバー
７０ａ  回転軸
７０ｂ  カバー延伸部
７１  延長トレイ
７１ａ  延長傾斜部
Ｐ  用紙
Ｘ  排出方向
Ｙ  幅方向
Ｚ  積載方向
【図１】
2014080279.tif 000003
【図２】
2014080279.tif 000004
【図３】
2014080279.tif 000005
【図４】
2014080279.tif 000006
【図５】
2014080279.tif 000007
【図６】
2014080279.tif 000008
【図７】
2014080279.tif 000009
【図８】
2014080279.tif 000010